(57)【要約】      （修正有）【課題】夏季の温度上昇を抑制することで、年中通して快適に過ごすことができる空調システムを提供する。【解決手段】空調システム１は、貯水槽２と、循環路３と、熱交換器４とを備えている。貯水槽２は、建物Ａに隣接または近接した地下空間Ｓを、雨水を貯留する貯水部２２として、この貯水部２２の上面に、水分を透過させる水分透過層２６が設けられている。循環路３は、貯水槽２に貯留された雨水を、住居内を経由して循環させるものである。熱交換器４は、循環路３が経由する住居に設けられ、住居内の空気と熱交換する。貯水槽２は、地下空間Ｓに充填された石２１同士の空隙を、雨水を貯留する貯水部２２としている。貯水槽２が建物Ａの外壁が照り返しや輻射熱による加熱を抑えるので、建物Ａの外壁への加熱を抑止することができる。従って、夏季の温度上昇を抑制することができるので、年中通して快適に過ごすことができる。【選択図】図１
2013137187.tif 000002
【特許請求の範囲】
【請求項１】
貯水槽及び送水路を備えた水利用システムであって、
前記送水路には、前記貯水槽の水を建物に送る給水路が含まれており、
前記建物は、建物内に設置された屋内熱交換部を備えており、
前記給水路として、少なくとも、前記貯水槽の水を前記屋内熱交換部に給水する熱源給水路が設置されており、
前記屋内熱交換部は、前記熱源給水路で送られた水と前記建物内空間との間で熱交換を行うものであることを特徴とする水利用システム。
【請求項２】
前記貯水槽は、槽内に石が充填され、当該石同士の空隙に貯水することができるものであり、
前記熱源給水路は、前記貯水槽の下部に接続されている請求項１に記載の水利用システム。
【請求項３】
前記送水路には、前記屋内熱交換部から出た水を送る熱源戻り水路が含まれており、
当該熱源戻り水路は、前記屋内熱交換部からの戻り水を前記貯水槽に送ることができるものである請求項２に記載の水利用システム。
【請求項４】
前記熱源戻り水路の貯水槽側端部は、前記貯水槽の上部に接続されている請求項３に記載の水利用システム。
【請求項５】
前記給水路として、さらに、前記貯水槽の水を建物内の水利用機器に給水する生活給水路が設置されており、
前記送水路には、前記水利用機器から出た水を排水する生活排水路が含まれており、
前記生活水給水路の貯水槽側の端部は、前記貯水槽内の水の水面に設置された浮き部材に取り付けられている請求項１から請求項４のいずれか一項に記載の水利用システム。
【請求項６】
前記熱源給水路の貯水槽側端部と建物側端部との間に、熱源給水路内の水の熱と地熱との間で熱交換を行う、地中に配置された地熱交換部が設置されている請求項１から請求項５のいずれか一項に記載の水利用システム。
【請求項７】
前記地熱交換部は、前記貯水槽の下側に配置されている請求項６に記載の水利用システム。
【請求項８】
前記地熱交換部は、前記熱源給水路によって送られる水が通水される通水管を有しており、当該通水管は、蛇行する状態で貯水槽の底面に隣接する状態で配置されている請求項６又は請求項７に記載の水利用システム。
【請求項９】
前記熱源戻り水路の屋内熱交換部側の端部と貯水槽側端部との途中に、地上に設けられた流水領域に向けて配管された熱源分岐戻り水路の一端が接続されており、当該接続位置に、通水方向の切換えに用いられるバルブが設置されており、
前記屋内熱交換部から出た水の送水先を、少なくとも、前記貯水槽と前記流水領域とに切換え可能になっている。
【請求項１０】
前記送水路は、さらに、前記流水領域から通過した水を前記貯水槽に送る水路を含むものである、請求項９に記載の水利用システム。
【請求項１１】
前記送水路は、さらに、前記貯水槽の水を前記流水領域に送る水路を含むものである、請求項９又は請求項１０に記載の水利用システム。
【請求項１２】
前記送水路は、前記貯水槽の水を循環させる循環路を含むものであり、
前記貯水槽は、地下に配置されて被覆層で覆われており、
前記貯水槽に貯留される水は、雨水であり、
前記被覆層は、前記貯水槽の上側に、地上空間と貯水槽との間で水分を透過させる水分透過層であり、当該水分透過層は、降雨を地表面から前記貯水槽に浸透させることができるものであると共に前記貯水槽の水分を地上空間に浸透させることができるものであり、
前記貯水槽は、建物に隣接または近接して配置されており、
前記循環路は、住居を経由するものであり、
前記熱交換器は、住居内の空気と循環路を循環する水とを熱交換するものである請求項１から請求項１１のいずれか一項に記載の水利用システムを用いた空調システム。
【発明の詳細な説明】
【技術分野】
【０００１】
本発明は、雨水を、例えば冷房や暖房の熱交換のための媒体として使用する空調システムなどの水利用システムに関するものである。
【背景技術】
【０００２】
冷暖房に要するエネルギーは個々には小さいが、町全体や都市全体となると膨大である。エネルギー問題は、地球環境保全の観点から重要である。このようなエネルギー問題に対して、エネルギー消費の削減を図ることができる空調システムとして、特許文献１に記載されたものが知られている。
この特許文献１には、地中に埋設したコンクリート製タンクであって、雨水、地下水または水道水を満たしたタンク内に配管された熱交換パイプに、全熱交換式換気扇からの給気を経由させることで、夏季においては地中熱で冷やされた貯蔵水により弱冷風とし、冬季においては地中熱で温められた貯蔵水により温風とするアース・ソーラーシステムが記載されている。
【先行技術文献】
【特許文献】
【０００３】
【特許文献１】特開２００９−２６４７２１号公報
【発明の概要】
【発明が解決しようとする課題】
【０００４】
特許文献１に記載の従来の空調システムは、地下タンクに貯留された水が年間を通して一定であることを、住居内の冷房や暖房に利用することで、省エネルギー化を図るものではある。しかし、真夏では建物自体が太陽熱で過度に加熱されてしまうため、外壁が熱せられ、室内へ伝熱することで、室内が温度上昇するため、特許文献１に記載の従来の空調システムでは、冷房効果が薄れる可能性がある。特に、都市部では、吸熱したアスファルト路面が放熱することによるヒートアイランド現象により、周辺地域より高温になることがあるため、より心配される。
【０００５】
そこで本発明は、夏季の温度上昇を抑制することで年中通して快適に過ごすことができるようにする空調システム等において利用可能な水利用システムを提供することを目的とする。
【課題を解決するための手段】
【０００６】
本発明に係る水利用システムは、貯水槽及び送水路を備えた水利用システムであって、前記送水路には、前記貯水槽の水を建物に送る給水路が含まれており、前記建物は、建物内に設置された屋内熱交換部を備えており、前記給水路として、少なくとも、前記貯水槽の水を前記屋内熱交換部に給水する熱源給水路が設置されており、前記屋内熱交換部は、前記熱源給水路で送られた水と前記建物内空間との間で熱交換を行うものであることを特徴とする水利用システムである。
そして、前記貯水槽は、槽内に石が充填され、当該石同士の空隙に貯水することができるものであり、前記熱源給水路は、前記貯水槽の下部に接続されている。
また、前記送水路には、前記屋内熱交換部から出た水を送る熱源戻り水路が含まれており、当該熱源戻り水路は、前記屋内熱交換部からの戻り水を前記貯水槽に送ることができるものである。
また、前記熱源戻り水路の貯水槽側端部は、前記貯水槽の上部に接続されている。
また、前記給水路として、さらに、前記貯水槽の水を建物内の水利用機器に給水する生活給水路が設置されており、前記送水路には、前記水利用機器から出た水を排水する生活排水路が含まれており、前記生活水給水路の貯水槽側の端部は、前記貯水槽内の水の水面に設置された浮き部材に取り付けられている。
また、前記熱源給水路の貯水槽側端部と建物側端部との途中に、熱源給水路内の水の熱と地熱との間で熱交換を行う、地中に配置された地熱交換部が設置されている。
また、前記地熱交換部は、前記貯水槽の下側に配置されている。
また、前記地熱交換部は、前記熱源給水路によって送られる水が通水される通水管を有しており、当該通水管は、蛇行する状態で貯水槽の底面に隣接する状態で配置されている。
また、前記熱源戻り水路の屋内熱交換部側の端部と貯水槽側端部との途中に、地上に設けられた流水領域に向けて配管された熱源分岐戻り水路の一端が接続されており、当該接続位置に、通水方向の切換えに用いられるバルブが設置されており、前記屋内熱交換部から出た水の送水先を、少なくとも、前記貯水槽と前記流水領域とに切換え可能になっている。
また、前記送水路は、さらに、前記流水領域から通過した水を前記貯水槽に送る水路を含むものである。
また、前記送水路は、さらに、前記貯水槽の水を前記流水領域に送る水路を含むものである。
【０００７】
また、別の発明である空調システムは、上記水利用システムの前記送水路は、前記貯水槽の水を循環させる循環路を含むものであり、前記貯水槽は、地下に配置されて被覆層で覆われており、前記貯水槽に貯留される水は、雨水であり、前記被覆層は、前記貯水槽の上側に、地上空間と貯水槽との間で水分を透過させる水分透過層であり、当該水分透過層は、降雨を地表面から前記貯水槽に浸透させることができるものであると共に前記貯水槽の水分を地上空間に浸透させることができるものであり、前記貯水槽は、建物に隣接または近接して配置されており、前記循環路は、住居を経由するものであり、前記熱交換器は、住居内の空気と循環路を循環する水とを熱交換するものであるという構成である。
【０００８】
つまり、空調システムは、建物に隣接または近接した地下空間を、雨水を貯留する貯水部として、この貯水部の上面に、降雨を地表面から浸透させると共に、前記貯水部からの水分を地表面に透過させる水分透過層が設けられた貯水槽と、前記貯水槽に貯留された雨水を、前記建物の住居内を経由して循環させる循環路と、前記循環路が経由する住居に設けられ、前記住居内の空気と前記循環路を循環する雨水とを熱交換する熱交換器とを備えたことを特徴とする。
【０００９】
夏季では、太陽光が強く、建物や地面を照らし、太陽光により水分透過層が加熱され、水分透過層の水分が気化すると共に、貯水槽の上層の雨水の温度が上昇するが、この温度上昇により貯水槽の雨水が気化して水分透過層を湿らせ、水分透過層から大気へ気化することで地表面は気化熱により温度上昇が抑制される。従って、貯水槽に隣接または近接した建物の外壁が照り返しや輻射熱による加熱を抑えることができることにより、住居内の空気を熱交換器により調整できると共に、夏季において建物の外壁への加熱を抑止することができるので、両面からの効果により夏季の温度上昇を抑制することができる。
【００１０】
前記貯水槽は、前記地下空間に充填された石同士の空隙を、雨水を貯留する前記貯水部とするのが望ましい。空調のために貯水槽と建物との間を循環させる雨水に、ごみや異物が混入したとしても、地下空間に充填された石がフィルタとして機能するので、ごみや異物を除去することができる。
【００１１】
前記地下空間に充填された石は、一部が石灰岩であるのが望ましい。雨水が大気汚染により酸性化しても、石灰岩がアルカリ性であるため、雨水を貯留槽に貯留されている間に中和させることができる。従って、循環路などの配管を酸性雨から保護することができ、腐食を防止することができる。
【００１２】
前記水分透過層は、前記地下空間を掘削して形成したときの土壌を埋め戻すことにより形成されているのが望ましい。地下空間を形成する掘削の際に排出された廃土の処分量を減量することができると共に、表層を植栽のための土壌とすることができる。
【発明の効果】
【００１３】
本発明の水利用システムによれば、住居内の空気を熱交換器により調整できると共に、夏季において建物の外壁への加熱を抑止することができるので、両面からの効果により夏季の温度上昇を抑制することができる。よって、本発明によれば、年中通して快適に過ごすことができる。
【図面の簡単な説明】
【００１４】
【図１】本発明の第１実施例に係る水利用システムである空調システム全体を示す図である。
【図２】図１に示す空調システムの貯水槽の平面図である。
【図３】図１に示す空調システムの貯水槽の断面拡大図であり、図２に示す貯水槽のＡ−Ａ線断面図である。
【図４】本発明の第２実施例に係る水利用システムを示す説明図である。
【符号の説明】
【００１５】
１…空調システム、２…貯水槽、３…循環路、４…熱交換器、５…送水ポンプ、
２１…石、        ２２…貯水部、    ２３…取水ます、２４…防水シート、
２５…保護シート、２６…水分透過層、２７…取水管、  ２８…フィルタ材、
２９…保護管、    ３１…往路配管、  ３２…屋内配管、３３…復路配管、
６１…中水用配管、    ６２…量水計、      ７１…補給管、
１０…水利用システム、１１…貯水槽、１２，１３…取水ます、１４，１５…浮き部材、
４０…送水路、      ４１…熱源給水路、  ４１Ｐ…第１給水ポンプ、
４２…生活給水路、  ４２Ｐ…第２給水ポンプ、４３…熱源戻り水路、４３Ｖ…バルブ、
４４…熱源分岐戻り水路、４５…生活排水路、
４６…ビオトープ送水路（外気熱交換送水路）、
４６Ｐ…第３給水ポンプ、４７…ビオトープ戻り水路（外気熱交換戻り水路）、
４９…地熱交換器（地熱交換部）、５１…屋内熱交換器（屋内熱交換部）、
５２…トイレ（便所、水利用機器の一種）、５３…洗濯機（水利用機器の一種）、
Ａ，Ｂ…建物、Ａ１…雨樋、Ｃ…コントローラ、
Ｆ…ビオトープの流水領域（水流領域）、Ｐ…緑地公園、Ｓ…地下空間、  Ｘ…汚水管。
【発明を実施するための形態】
【００１６】
本発明に係る水利用システムである空調システムの第１実施例を、図面に基づいて説明する。
【実施例１】
【００１７】
図１に示すように、空調システム１は、貯水槽２と、循環路３と、熱交換器４とを備え、雨水を、空気調整をするための媒体としたものである。
【００１８】
貯水槽２は、複数の住居が設けられた建物Ａに隣接または近接した地下に設置されている。貯水槽２は、地下空間Ｓに石２１が充填され、不定形な石２１同士の空隙を、雨水を貯留する貯水部２２としたものである。
【００１９】
石２１については、大きさが約２５ｍｍから約５０ｍｍのものが使用できる。この程度の大きさの石２１を地下空間Ｓに充填することで、５０％程度の空隙率を得ることができ、容積が約２００ｍ３の地下空間Ｓで、約１００ｔ以上の雨水を貯留することができる。
石２１は、砂利や小石程度の大きさの人工物でもよいが、採石場から採取され、破砕された砕石や、河原などで採石されたものなどの自然石であれば、石表面に微生物が付着して浄化作用が期待でき、製造コストを大幅に抑制することができるため望ましい。また、石２１として、一部に石灰岩を混入させることもできる。
【００２０】
貯水槽２を平面視したときの形状はどのような形状でもよく、限定されるものではないが、本実施例では、建物Ａに隣接して設置される土地の形状に合わせて貯水槽２を台形状としている（図２参照）。
【００２１】
図３に示すように、地下空間Ｓは、周壁が、底面に近づくに従って徐々に開口幅が狭くなる傾斜面に形成されている。また、地下空間Ｓの底面には、深く掘り下げられた凹部が、取水ます２３として設けられている。本実施例においては、取水ます２３が４ヵ所に設けられている（図２参照）。
【００２２】
地下空間Ｓの底面と周壁面とには、雨水が浸透しないように防水シート２４が敷かれている。充填された石２１には、土や砂が混入しないように、蓋をするように貯水部２２の上面に透水性を有する保護シート２５が覆っている。本実施例では、保護シート２５としてシート状の不織布を使用している。
保護シート２５上には、降雨を浸透させると共に、貯水部２２からの水分を透過させる水分透過層２６が設けられている。保護シート２５として軟質なものを使用しても充填された石２１が水分透過層２６を支持するため、頑丈な躯体を設ける必要がない。この水分透過層２６は、雨水が浸透できれば、土や砂とする以外に人工物でもよいが、本実施例では、水分透過層２６を、地下空間Ｓを掘削して形成したときの土壌を埋め戻すことにより形成している。
【００２３】
貯水部２２には、取水管２７が水分透過層２６から取水ます２３の下部まで垂下して配管されている。取水管２７の周面全体には、通水孔が設けられており、周囲面にはフィルタ材２８が巻かれている。本実施例では、フィルタ材２８として、不織布を主材としたものを使用している。また、取水管２７には、石２１とフィルタ材２８との間に隙間を確保するために、小径の孔が周囲面に設けられた保護管２９が、取水管２７のさや管として設けられている。この取水管２７は、４ヵ所に設けられた取水ます２３に、それぞれに設けられている。そして、４本の取水管２７の内の１本の上端に、循環路３が接続され、１本の取水管２７に手動式の汲み上げポンプ（図示せず）が接続され、残りの２本の取水管２７は予備管として上端に蓋となるキャップが被せられている。２本の取水管２７が予備管として設けられていることにより、循環路３に接続された取水管２７が目詰まりしても、簡単に付け替えることができる。
【００２４】
貯水槽２の上は、草木を植栽することで緑地公園Ｐとすることができる。また、貯水槽２の上をビオトープとしてもよい。
【００２５】
図１に示す循環路３は、一端が取水管２７に接続され、他端が貯水槽２の周壁に接続され、その間が、取水管２７から建物Ａまでの往路配管３１と、建物Ａ内の屋内配管３２と、建物Ａから貯水槽２までの復路配管３３とにより接続されている。
【００２６】
この循環路３には、貯水槽２に貯留された雨水を循環させるための送水ポンプ５が設けられている。また、往路配管３１には、建物Ａの便所用水として使用するための中水用配管６１が接続され、循環路３から分岐している。この中水用配管６１には、量水計６２が設けられている。復路配管３３には、建物Ａの雨樋Ａ１からの雨水を貯水槽２へ補給するための補給管７１が接続されている。
【００２７】
熱交換器４は、各住居の居室に設置され、屋内配管３２に接続されていることで循環路３０に接続されている。熱交換器４は、屋内配管３２を流れる雨水と住居内の空気との熱を交換する機能を備えている。熱交換器４は、例えば、熱交換した住居内の空気を送風機で送る空気調和機とすることができる。本実施例では、熱交換器４をファンコイルユニットとしている。
【００２８】
以上のように構成された本実施例に係る空調システムについて、図面に基づいて説明する。
まず、貯水槽２上に降った雨水は、水分透過層２６に浸透し、保護シート２５を介して貯水部２２に流れて、貯留される。また、建物Ａの屋根に降った雨水は、雨樋Ａ１から補給管７１に向かって流れ、補給管７１から復路配管３３へと流れて、貯水部２２に貯留される。
【００２９】
便所を使用したときには、貯水槽２に貯留された雨水が、送水ポンプ５により汲み上げられることで、往路配管３１から中水用配管６１へ流れ、汚物を流すための便所用水として使用される。便所用水を雨水とすることにより雨水を有効活用することができ、上水を使用しないことで水資源の節約ができる。
【００３０】
貯水槽２に貯留された雨水は、地下空間Ｓの貯水部２２に貯留されているため、年間を通して安定している。送水ポンプ５を稼働することで、貯水部２２に貯留された雨水が取水管２７から取水され、往路配管３１から屋内配管３２へ送水される。
【００３１】
冬季は、地中温度が外気より高いため、地中温度と同等で外気より温かい貯水槽２に貯留された雨水が循環路３の屋内配管３２に流れることで、熱交換器４により住居内の空気と熱交換して住居内を暖める。
【００３２】
夏季は、地中温度が外気より低いため、地中温度と同等で外気より冷たい貯水槽２に貯留された雨水が循環路３の屋内配管３２に流れることで、熱交換器４により住居内の空気と熱交換して住居内を冷やす。
夏季では、太陽光が強く、建物や地面を照らす。しかし、貯水槽２は、アスファルト舗装されていない水分透過層２６が表面層として貯水部２２を覆っているため、アスファルトと比較して蓄熱が少ない。また、太陽光により水分透過層２６が加熱され、水分透過層２６の水分が気化すると共に、貯水槽２の上層の雨水の温度が上昇するが、この温度上昇により貯水槽２の雨水が気化して、水分透過層２６を湿らせ、水分透過層２６から大気へ気化することで地表面は気化熱により温度上昇が抑制される。従って、貯水槽２に隣接または近接した建物の外壁が照り返しや輻射熱により加熱されることを抑えることができる。
貯水槽２の上層における雨水の温度上昇であるが、循環する雨水を取水する取水管２７が貯水槽２の下層から取水しているため、影響はない。
【００３３】
このように、住居内の空気を熱交換器４により調整できると共に、建物の外壁への加熱を抑止することができるので、両面からの効果により夏季の温度上昇を抑制することができる。よって、住居内では、居住者が年中通して快適に過ごすことができる。
【００３４】
貯水槽２は、まず水分透過層２６が降雨に含まれる塵埃を除去するフィルタとしての機能を有しており、貯水するための空間を形成するための石２１も循環する雨水に含まれる塵埃を除去するフィルタとしての機能を有している。そのため、塵や埃を含む雨水であっても濾過され、浄化することができる。
また、自然石である石２１は、石２１の表面に微生物が付着しているため、雨水を貯水槽２に長期間貯留していても雨水が腐敗してしまうことを防止することができると共に、循環する雨水を浄化することができる。
【００３５】
雨が降り、新たな雨水が貯水槽２に流れ、貯留されることで、貯水槽２に貯留された雨水の温度が変化し、熱交換器４からの送風温度に影響が出ることが心配される。
しかし、貯水槽２は、地下空間Ｓに満遍なく配置された石２１が蓄熱材として機能するので、水分透過層２６を通って貯水部２２に流れ込んだ雨水の温度が、貯水部２２に貯留された雨水の温度と乖離していても、地下温度となった石２１により、新たに流れ込んだ雨水を貯水部２２に貯留された雨水と同等の温度に調整することができる。従って、熱交換器４からの送風温度への影響を少なくすることができる。
【００３６】
石２１として、一部に石灰岩を混入させれば、雨水が大気汚染により酸性化しても、石灰岩がアルカリ性を示すため、雨水を貯水槽２に貯留されている間に中和させることができる。従って、循環路３、中水用配管６１などの配管や便器を酸性雨から保護することができ、腐食を防止することができる。
【００３７】
水分透過層２６が地下空間Ｓを掘削して形成したときの土壌を埋め戻すことにより形成されているので、地下空間Ｓを形成する掘削の際に排出された廃土の処分量を減量することができると共に、表層を植栽のための土壌とすることができる。
貯水槽２（水分透過層２６）の表層は、緑地公園Ｐやビオトープのために植栽されているので、貯水槽２からの水を植物へ補うことができ、夏季の太陽光による照り返しや輻射熱を更に抑えることができる。
【００３８】
貯水槽２が雨水を貯留することで、水資源が有効活用でき、下水として雨水を排出する量が減少するので、貯水槽２はダムの機能を有するものと言える。従って、このような空調システム１を地域で数多く設ければ、水害の予防にも寄与する。
【００３９】
貯水槽２に貯留された雨水を便所用水として使用すると、降雨量との兼ね合いとなるが不足することが懸念される。この場合には、市道の側溝からの雨水を供給する配管を貯水槽２へ接続するようにしてもよい。そうすることで、地域の水害予防にも寄与することができる。
【実施例２】
【００４０】
次に、本発明に係る水利用システムの第２実施例について、図面を用いて説明する。
なお、本実施例に係る水利用システムは、上述した第１実施例の空調システムと同様の構成を有する部分がある。そこで、ここでは、主に第１実施例の構成とは異なる構成について説明し、第１実施例の構成と同様の構成については、詳細な説明を省略することがある。
【００４１】
図４に示されるように、水利用システム１０は、貯水槽１１と送水路４０とを備えている。この水利用システム１０は、住宅などの建物Ｂを含めて運用されるシステムであり、このシステムが運用される建物Ｂ内には、例えば、屋内熱交換器（屋内熱交換部）５１、トイレ（便所）５２及び洗濯機５３などが設置されている。また、建物Ｂに隣接して、流水領域Ｆを備えたビオトープが配置されている。なお、屋内熱交換器５１は、後述の熱源給水路４１で送られてきた水と建物Ｂ内の空気（建物内空間）との間での熱交換を行うものであり、送水路４０は、水道配管などに用いられる送水管などによって構成されているものである。
【００４２】
貯水槽１１は、地下に配置されている。そして、第１実施例同様、貯水槽１１内には石が充填されており、石同士の空隙に貯水されるようになっている。また、貯水槽１１には、２つの取水ます１２，１３が設けられており、各取水ます１２，１３の中に、それぞれ、浮き部材１４，１５が配置されている。
なお、浮き部材１４，１５は、浮力を利用して常に水面または水面付近に位置するようになっているものである。そして、第１取水ます１２の中の第１浮き部材１４には、後述の生活給水路４２の貯水槽側の端部が取り付けられており、第２取水ます１３の第２浮き部材１５には、後述のビオトープ送水路４６の貯水槽側の端部が取り付けられている。従って、生活給水路４２及びビオトープ送水路４６は、常に、貯水槽１１内の水面付近で取水した水を送水先に送ることができる。
なお、本実施例の取水ます１２，１３は、第１実施例のものと同様の構成であるので、ここではその詳細な説明を省略する。また、第１実施例で用いられている防水シート、保護シート、水分透過層、取水管、フィルタ材及び保護管に関する構成についても、本実施例で同様の構成が用いられているが、ここではその詳細な説明を省略する。さらに、雨水を、雨樋等を用いて貯水槽に貯留する構成も、第１実施例と同様であるので、ここでは詳細な説明を省略する。
【００４３】
送水路４０としては、給水路４１，４２と、熱源戻り水路４３と、熱源分岐戻り水路４４と、生活排水路４５と、ビオトープ送水路４６と、ビオトープ戻り水路４７とが設置されている。これらのうち、給水路４１，４２は、貯水槽１１の水を建物側に送るものであり、熱源給水路４１及び生活給水路４２が設置されている。また、生活排水路４５は、トイレ５２や洗濯機５３から出た水を排水するものである。
【００４４】
熱源給水路４１は、貯水槽１１の水を屋内熱交換器（屋内熱交換部）５１に給水する水路である。そして、熱源給水路４１の、取水口を備えた貯水槽側の端部は、貯水槽１１の下部(貯水槽１１の深さの中間位置よりも下側)、より具体的には貯水槽１１の底部に接続されている。
そして、熱源給水路４１の途中には、第１給水ポンプ４１Ｐが設置されている。この第１ポンプ４１Ｐを作動させると、貯水槽１１の水を屋内熱交換器５１に向けて送ることができる。
【００４５】
生活給水路４２は、貯水槽１１の水を建物Ｂ内のトイレ５２や洗濯機５３に給水するものである。
生活給水路４２の、取水口を備えた貯水槽側の端部は、貯水槽１１内の水の水面付近に位置する第１浮き部材１４に取り付けられている。従って、生活給水路４２によって、貯水槽１１内の水面付近で取水した水を常に送り出すことができる。
そして、生活給水路４２の途中には、第２給水ポンプ４２Ｐが設置されている。具体的には、生活給水路４２の貯水槽側の端部である第１浮き部材１４に第２給水ポンプ４２Ｐが設置されている。この第２ポンプ４２Ｐを作動させると、貯水槽１１の水をトイレ５２や洗濯機５３に向けて送ることができる。
【００４６】
なお、各給水路４１，４２の貯水送側の端部は取水管として機能する。また、各給水路４１，４２の下端の取水管の部分は、浮き部材にとりつけられており、水面高さの変動に応じて昇降するものである。従って、各給水路４１，４２の貯水槽側の端部である取水管の部分と、各給水路４１，４２の本体側の部分との間には、取水管の昇降移動に対応するための中継配管部が配置されている。この中継配管部としては、柔軟に屈曲可能なホースや蛇腹状のホースなどが用いられている。
【００４７】
熱源戻り水路４３は、屋内熱交換部５１から出た水を送る水路であり、屋内熱交換部５１からの戻り水を貯水槽１１に送ることができるようになっている。そして、熱源戻り水路４３の、排水口を備えた貯水槽側の端部は、貯水槽１１の上部に配置されている。このような配置で、貯水槽１１と熱源戻り水路４３とを接続すると、熱源戻り水路４３によって貯水槽１１に戻された水は、貯水槽１１内の貯留水のうち上層部の水の一部として貯留されることになる。
上述したように、貯水槽１１内には石が充填されており、石が充填されていない場合と比べて、貯水槽１１内において水が混合しにくくなっている。別言すれば、貯水槽１１の上層部に戻された水が上層部から下層部に容易に流れ込むことができないようになっている。
【００４８】
熱源戻り水路４３の屋内熱交換部側の端部と貯水槽側端部との途中には、バルブ４３Ｖが設置されている。
そして、このバルブ（接続位置）４３Ｖに、熱源分岐戻り水路４４の一端が接続されている。この熱源分岐戻り水路４４は、ビオトープの流水領域Ｆの上流側に向けて配管されている。従って、このバルブ４３Ｖを作動させると、熱源戻り水路４３を流れる水の流路（通水方向）が貯水槽１１側又はビオトープ側に切換えられる。
つまり、屋内熱交換部５１から出た水の送水先を、貯水槽１１とビオトープ（流水領域Ｆ）とのいずれかに切換え可能になっている。切換え条件としては、種々の条件が考えられるが、例えば、バルブ４３Ｖを通過する水の温度、気温、貯水槽内の水量などを挙げることができる。本実施例の水利用システムには、バルブ４３Ｖを通過する水の温度の温度センサーと、外気温センサーとを備えたコントローラＣが設置されている。このコントローラによって、当該水温に基づくバルブの切換制御が行われる。
【００４９】
ビオトープ送水路４６は、貯水槽１１の水をビオトープに送るものである。ビオトープ送水路４６の、取水口を備えた貯水槽側の端部は、貯水槽１１内の水の水面付近に位置する第２浮き部材１５に取り付けられている。従って、ビオトープ送水路４６によって、貯水槽１１内の水面付近で取水した水を常に送り出すことができる。
そして、ビオトープ送水路４６の途中には、第３給水ポンプ４６Ｐが設置されている。具体的には、ビオトープ送水路４６の貯水槽側の端部である第２浮き部材１５に第３給水ポンプ４６Ｐが設置されている。この第３ポンプ４６Ｐを作動させると、貯水槽１１の水をビオトープの流水領域Ｆの上流側に向けて送ることができる。
【００５０】
ビオトープ戻り水路４７は、ビオトープの流水領域Ｆを通過して流水領域Ｆの下流側に達し、ビオトープから流出する水を貯水槽１１に送るものである。そして、ビオトープ戻り水路４７の、排水口を備えた貯水槽側の端部は、貯水槽１１の上部に配置されている。このような配置で、貯水槽１１とビオトープ戻り水路４７とを接続すると、ビオトープ戻り水路４７によって貯水槽１１に戻された水は、貯水槽１１内の水の上層部分に戻される。
【００５１】
熱源給水路４１の貯水槽側の端部と建物側の端部との途中には、地熱交換器（地熱交換部）４９が設置（接続）されている。
地熱交換器４９は、熱源給水路４１を流される水の熱と地中との間で熱交換を行う熱交換器であり、地中に設置されている。本実施例では、地熱交換器４９は、貯水槽１１の下側であり、且つ貯水槽の底面に隣接する位置に配置されている。
ところで、地熱交換器４９が設置されている貯水槽１１の下側は、貯水槽１１に隣接する位置のうち最も地中深い位置であり、地熱との熱交換を行う場所として好適である。さらに、貯水槽１１の下側という位置は、貯水槽１１を構築するために地下空間を形成した際に、容易に設置できる位置という点で優れた配置である。
【００５２】
次に、本実施例の水利用システム１０の運用について説明する。
本水利用システム１０を用いれば、貯水槽１１の水を空調用水（熱交換用水）として利用し、あるいはトイレ５２や洗濯機５３用の水（生活用水）として利用することができる。
【００５３】
貯水槽１１の水を空調用水として利用する場合は、熱源給水路４１の第１給水ポンプ４１Ｐを作動させる。これにより、貯水槽１１の水が熱源給水路４１を経て屋内熱交換器５１に送られる。この熱源給水路４１は、上述したように、貯水槽１１の下端部に接続されている。また、上述したように、本実施例の貯水槽１１は、槽内に石が充填されており、対流等による水の混合がしにくい構成になっている。従って、貯水槽１１内の底面に近い領域の水ほど、地熱との熱交換が促進されることとなり、底面付近に、より地中温度に近い温度の水を生成できるようになっている。例えば夏場であれば、貯水槽１１内の水のうち最も冷たい水が取水されることになり、他方、冬場であれば、貯水槽１１内の水のうち最も暖かい水が取水されることになる。
取水された水は、その後、地熱交換器４９を通って屋内熱交換器５１に送られる。この地熱交換器４９において、さらに、地熱交換器４９を通過する水と地中（地下地盤）との間での熱交換が行われ、貯水槽１１の底部周辺の地中温度と同等温度の水を屋内熱交換器５１に向けて供給できるようになっている。
このように、本実施例の水利用システム１０によれば、その時点で冷暖房に最も適した温度の水を屋内熱交換器５１に供給でき、効率の良い空調を実現することができる。
【００５４】
屋内熱交換器５１で空調に利用された水は、熱源戻り水路４３で構成されるルートを経て貯水槽に送られるか、熱源戻り水路４３及びビオトープ送水路４６で構成されるルートを経てビオトープの流水領域Ｆの上流部に送られる。ビオトープに送られた水は、その後、ビオトープの流水領域Ｆを通過して、流水領域Ｆの下流部からビオトープ戻り水路４７に流出し、ビオトープ戻り水路４７を通って貯水槽１１に送られる。つまり、熱源給水路４１及び熱源戻り水路４３で循環水路（循環路）が構成されており、また、熱源給水路４１、ビオトープ送水路４６、ビオトープ（流水領域Ｆ）及びビオトープ戻り水路４７で循環水路が構成されている。屋内熱交換器５１を出た水のルートは、バルブ４３Ｖの切換え状態によって定まる。このように、循環水路を利用して、貯水槽１１に水を戻すことができれば、戻した水を再び空調用水や生活水として有効利用することができる。
【００５５】
また、貯水槽１１の水をトイレ５２や洗濯機５３などで生活用水として利用する場合は、生活給水路（中水用配管）４２の第２給水ポンプ４２Ｐを作動させる。これにより、貯水槽１１の水が生活給水路４２を経てトイレ５２、洗濯機５３に送られて利用される。なお、トイレ５２や洗濯機５３で利用された水は、生活排水路４５を通って公共の下水道の汚水管Ｘに送られ、排水される。
ところで、生活給水路４２の貯水層側の端部は、上述したように、第１浮き部材１４に接続されおり、貯水槽１１内の水の水面付近に常に位置するようになっている。従って、貯水槽１１内の貯水量が変動しても、常に、水面付近の水が取水される。上述したように、貯水槽１１の底部の水は、屋内空調用に適しているところ、生活給水路４２の取水位置が水面付近であれば、屋内空調用に適した水を生活用水として使用することが最小限に抑制される。また、例えば貯水量が豊富な状態のときに、貯水槽１１の底部の水を生活用水として利用することが確実に防止され、一つの貯水槽１１の水を空調用と生活用とに簡単且つ効率よく使い分けることができ、有効な水利用を実現することができる。
【００５６】
また、本実施例の水利用システムでは、第３給水ポンプ４６Ｐを作動させることにより、貯水槽１１の水をビオトープ送水路４６を用いてビオトープの流水領域Ｆの上流部に送ることができる。ビオトープに送られた水は、その後、ビオトープの流水領域Ｆを通過して、流水領域Ｆの下流部からビオトープ戻り水路４７に流出し、ビオトープ戻り水路４７を経て貯水槽１１に戻される。
このような運転をすることで、降雨の有無にかかわらず、必要に応じてビオトープの景観を水が流れる状態にすることができる。
【００５７】
なお、本発明に係る空調システムなどの水利用システムは、上記実施例のものに限られない。本発明の趣旨を逸脱しない範囲で改変された空調システム等の水利用システムは、本発明の範囲に含まれる。
【００５８】
例えば、第２実施例の貯水槽１１に充填する素材としては、第１実施例同様、石を挙げることができる。貯水槽１１に充填する石は特に限定されるものではないが、第２実施例の貯水槽１１のように、貯水槽１１の下部に熱伝導性の高い石を充填し、その上に、さらに石を充填する構成は好ましい構成である。熱伝導性の高い石としては、例えば、花崗岩などを挙げることができる。また、貯水槽１１の下部とは、例えば、貯水槽１１の底面に接する部分や、貯水槽の中間より下側の部分全体のことである。このように、貯水槽１１の下部に熱伝導性の高い素材を充填すると、地熱と、貯水槽内の水や地熱交換器内の水の熱とを効率よく交換することができ、地熱利用効率がより向上する。
また、建物Ｂ内に設置される屋内交換器５１は複数であっても良い。
また、貯水槽から取水した水を各給水路で送る場合、ろ過手段によってろ過された水を送るのが好ましい。そして、貯水槽に水を流入させる場合、貯水槽に入れられる前にろ過された水を流入させることが好ましい。さらに、雨樋等を用いて雨水を貯水槽に送って貯留する場合も、貯水槽に入れられる前にろ過された雨水を流入させることが好ましい。従って、各送水路や雨樋等の雨水の送水路としては、ろ過手段を備えるものが好ましい。ろ過手段（ろ過機）としては、第１実施例で説明したフィルタや水分透過層と同様の構成のもののほか、種々のろ過手段を用いることができる。なお、生活給水路においては、洗濯機側に分岐した位置だけにろ過手段を設置しても良い。
また、第２実施例の地熱交換器４９は、熱源給水路４１によって送られる水が通水される通水管（不図示）を有するものであり、この通水管を通るとき、通過する水の熱と地熱との間の熱交換が行われるものである。そして、この通水管は、蛇行する状態で配置されており、通水管同士の間には隙間が形成されている。従って、この隙間を介して、貯水槽１１内の水の熱と地中の地熱との間の熱交換が行われるようになっている。なお、熱交換器４９として用いられる熱交換器は、これに限られるものではない。例えば、上記熱交換器４９の他、地熱交換器の通水管が、例えばコイル状のパイプで構成されたものを挙げることができる。
また、上記第２実施例では、地熱交換器４９は、熱源給水路４１の貯水槽側の端部と建物側の端部との途中に配置されているが、貯水槽１１と熱源給水路４１の建物側の端部との間に配置されていればよい。
バルブコントローラによるバルブ制御方法には、種々の方法がある。例えば、夏場における制御としては、バルブ４３Ｖを通過する水の温度が所定の設定水温より高く、且つ外気温が所定の設定外気温より高い場合（以下、この段落では、高温条件状態という）と、これ以外の場合（以下、この段落では、非高温条件状態という）とでバルブの切換えを行うことが考えられる。この場合、高温条件状態のときは、屋内熱交換器５１から熱源戻り水路４３を通って戻ってきた水を直接、貯水槽１１に戻すようにバルブ４３Ｖを切換え、非高温条件状態のときには、戻ってきた水をビオトープに送るようにバルブ４３Ｖを切換えるバルブ制御がこのコントローラによって行われる。
【００５９】
また、第２実施例の水利用システム１０の第３給水ポンプ４６Ｐの動作を制御するポンプコントローラを設置してもよい。
ポンプコントローラによる第３給水ポンプ４６Ｐの制御方法には、種々の方法がある。
例えば、春の時期における制御としては、貯水槽の水面付近の水温よりも気温が低い状態になると、第３給水ポンプを作動させる制御が考えられる。春は、夏に向けて、貯水槽内の水温をできるだけ低い温度に維持したい時期であるところ、上記制御を行えば、相対的に冷たい外気を利用して貯水槽内の水を冷却することができる。
また、秋の時期における制御としては、貯水槽の水面付近の水温よりも気温が高い状態になると、第３給水ポンプを作動させる制御が考えられる。秋は、冬に向けて、貯水槽内の水温をできるだけ高い温度に維持したい時期であるところ、上記制御を行えば、相対的に温かい外気を利用して貯水槽内の水を温めることができる。
【００６０】
また、第２実施例の取水ます１２，１３は、第１実施例のものと同様の構成であるが、その構成に限られるものではない。例えば、第１実施例の取水ますの下端は、貯水槽の底よりも深い位置まで掘り下げられているが、第２実施例においては、貯水槽１１の底面と同じ深さ位置でもよいし、貯水槽１１の底面よりも浅い位置でもよい。取水ます１２，１３の下端が貯水槽１１の底面よりも浅い態様の場合、取水ます１２，１３の下側は、石が充填された状態である。
また、第２実施例の生活給水路４２の途中に、第１実施例同様、量水計を設けてもよい。
【産業上の利用可能性】
【００６１】
本発明の空調システムなどの水利用システムは、複数の住戸が集合住宅として一棟を構成した団地や複数の戸建により構成された団地などに好適である。
【図１】
2013137187.tif 000003
【図２】
2013137187.tif 000004
【図３】
2013137187.tif 000005
【図４】
2013137187.tif 000006